(57)【要約】【課題】高さのレベル出しが容易で施工性が良好な建物の基礎、基礎施工方法、及びレベル出し金物を得る。【解決手段】一対のせき板２０の貫通孔２２にセパレータ２４を貫通させ、レベル出し金物１４を一対のせき板２０の間に挿入する。レベル出し金物１４のスリット１４Ｄの端面をセパレータ２４に係合させることにより、レベル出し金物１４の上端部１４Ａが一対のせき板２０の上面２０Ａから所定量突出する。これにより、複数のレベル出し金物１４が一対のせき板２０の間に水平に配置されると共に、複数のレベル出し金物１４の上端部１４Ａを結んだ線が水平になるように位置決めされる。そして、一対のせき板２０の間にコンクリートを打設してコンクリート基礎１２を形成する。これにより、コンクリート基礎１２の上面１２Ａが蛇行する場合でも、複数のレベル出し金物１４の上端部１４Ａ上に配置されたプレート３０が水平に保たれる。【選択図】図５
2009275472.tif 000002
【特許請求の範囲】
【請求項１】
基礎本体を構成するコンクリート基礎と、
前記コンクリート基礎内に間隔をおいて配置されると共に、上端部が前記コンクリート基礎の上面に突出し、かつ、前記上端部を結んだ直線と前記コンクリート基礎の底面とが平行になるように構成された少なくとも２つ以上のレベル出し金物と、
を有することを特徴とする基礎。
【請求項２】
現場で基礎を施工する場合において、少なくとも２つ以上の前記レベル出し金物を前記コンクリート基礎内に水平に配置するように位置決めする位置決め手段を有し、
前記レベル出し金物と前記位置決め手段との位置関係が、前記コンクリート基礎を形成した状態において前記レベル出し金物が前記コンクリート基礎の上面から所定量突出するように構成されていることを特徴とする請求項１に記載の基礎。
【請求項３】
前記位置決め手段は、
前記レベル出し金物に形成された係合部と、
前記コンクリート基礎を形成するために略平行に立設された一対のせき板に形成され、前記係合部が係合されることにより前記レベル出し金物の上端部が前記一対のせき板の上部から突出するように配置される被係合部と、
を有することを特徴とする請求項２に記載の基礎。
【請求項４】
前記被係合部は、前記一対のせき板の側面を貫通して前記一対のせき板の間に架け渡されるセパレータであり、
前記係合部は、前記レベル出し金物に形成された係合穴であり、
前記レベル出し金物が、前記一対のせき板の間に配置されると共に、前記係合穴が前記セパレータに係合されることにより位置決めされることを特徴とする請求項３に記載の基礎。
【請求項５】
前記レベル出し金物の幅が、完成後の前記コンクリート基礎の幅と略同一に形成されており、
現場での施工時に前記一対のせき板の内壁面に前記レベル出し金物の側面を接触させることを特徴とする請求項４に記載の基礎。
【請求項６】
一対のせき板を略平行に立設する工程と、
レベル出し金物に形成された係合部を前記一対のせき板に形成された被係合部にそれぞれ係合させることにより、前記レベル出し金物の上端部を前記一対のせき板の上面から突出させると共に、少なくとも２つ以上の前記レベル出し金物の上端部が水平となるように位置決めする工程と、
前記一対のせき板の間にコンクリートを打設することによりコンクリート基礎を形成する工程と、
を有することを特徴とする基礎施工方法。
【請求項７】
一対のせき板の側面に形成された複数の貫通孔に複数のセパレータをそれぞれ貫通させて前記一対のせき板を略平行に支持する工程と、
レベル出し金物に形成された係合穴を前記複数のセパレータにそれぞれ係合させることにより、前記レベル出し金物の上端部を前記一対のせき板の上面から突出させると共に、少なくとも２つ以上の前記レベル出し金物の上端部が水平となるように位置決めする工程と、
前記一対のせき板の間にコンクリートを打設することによりコンクリート基礎を形成する工程と、
を有することを特徴とする基礎施工方法。
【請求項８】
前記レベル出し金物に形成された係合穴を前記複数のセパレータにそれぞれ係合させて位置決めするときに、前記一対のせき板の内壁面に前記レベル出し金物の側面を接触させることを特徴とする請求項７に記載の基礎施工方法。
【請求項９】
略平行に立設された一対のせき板の間にコンクリートを打設して形成されるコンクリート基礎内に間隔をおいて配置されるレベル出し金物本体と、
前記レベル出し金物本体に設けられ、前記一対のせき板に形成された被係合部に係合されることにより、上端部が前記一対のせき板の上部から突出するように位置決めされる係合部と、
を有することを特徴とするレベル出し金物。
【発明の詳細な説明】
【技術分野】
【０００１】
本発明は、建物の基礎、基礎施工方法、及びレベル出し金物に関する。
【背景技術】
【０００２】
下記特許文献１には、土間コンクリート、外周基礎立ち上がり部、及び間仕切り基礎立ち上がり部にそれぞれ高さが調整可能な支持脚を設け、支持脚の高さをそれぞれ調整することで、複数の床パネルを所定の高さ位置に支持する構造が開示されている。
【特許文献１】特開２００７−９５４２号公報
【発明の開示】
【発明が解決しようとする課題】
【０００３】
しかしながら、上記先行技術では、複数の支持脚の高さを一つ一つ調整して高さのレベル出しを行うため、調整作業が煩雑であり、施工性が悪い。
【０００４】
本発明は上記事実を考慮し、高さのレベル出しが容易で施工性が良好な建物の基礎、基礎施工方法、及びレベル出し金物を得ることが目的である。
【課題を解決するための手段】
【０００５】
請求項１の発明に係る基礎は、基礎本体を構成するコンクリート基礎と、前記コンクリート基礎内に間隔をおいて配置されると共に、上端部が前記コンクリート基礎の上面に突出し、かつ、前記上端部を結んだ直線と前記コンクリート基礎の底面とが平行になるように構成された少なくとも２つ以上のレベル出し金物と、を有することを特徴とする。
【０００６】
請求項２の発明は、請求項１に記載の基礎において、現場で基礎を施工する場合において、少なくとも２つ以上の前記レベル出し金物を前記コンクリート基礎内に水平に配置するように位置決めする位置決め手段を有し、前記レベル出し金物と前記位置決め手段との位置関係が、前記コンクリート基礎を形成した状態において前記レベル出し金物が前記コンクリート基礎の上面から所定量突出するように構成されていることを特徴とする。
【０００７】
請求項３の発明は、請求項２に記載の基礎において、前記位置決め手段は、前記レベル出し金物に形成された係合部と、前記コンクリート基礎を形成するために略平行に立設された一対のせき板に形成され、前記係合部が係合されることにより前記レベル出し金物の上端部が前記一対のせき板の上部から突出するように配置される被係合部と、を有することを特徴とする。
【０００８】
請求項４の発明は、請求項３に記載の基礎において、前記被係合部は、前記一対のせき板の側面を貫通して前記一対のせき板の間に架け渡されるセパレータであり、前記係合部は、前記レベル出し金物に形成された係合穴であり、前記レベル出し金物が、前記一対のせき板の間に配置されると共に、前記係合穴が前記セパレータに係合されることにより位置決めされることを特徴とする。
【０００９】
請求項５の発明は、請求項４に記載の基礎において、前記レベル出し金物の幅が、完成後の前記コンクリート基礎の幅と略同一に形成されており、現場での施工時に前記一対のせき板の内壁面に前記レベル出し金物の側面を接触させることを特徴とする。
【００１０】
請求項６の発明に係る基礎施工方法は、一対のせき板を略平行に立設する工程と、レベル出し金物に形成された係合部を前記一対のせき板に形成された被係合部にそれぞれ係合させることにより、前記レベル出し金物の上端部を前記一対のせき板の上面から突出させると共に、少なくとも２つ以上の前記レベル出し金物の上端部が水平となるように位置決めする工程と、前記一対のせき板の間にコンクリートを打設することによりコンクリート基礎を形成する工程と、を有することを特徴とする。
【００１１】
請求項７の発明に係る基礎施工方法は、一対のせき板の側面に形成された複数の貫通孔に複数のセパレータをそれぞれ貫通させて前記一対のせき板を略平行に支持する工程と、レベル出し金物に形成された係合穴を前記複数のセパレータにそれぞれ係合させることにより、前記レベル出し金物の上端部を前記一対のせき板の上面から突出させると共に、少なくとも２つ以上の前記レベル出し金物の上端部が水平となるように位置決めする工程と、前記一対のせき板の間にコンクリートを打設することによりコンクリート基礎を形成する工程と、を有することを特徴とする。
【００１２】
請求項８の発明に係る基礎施工方法は、請求項７に記載の基礎施工方法において、前記レベル出し金物に形成された係合穴を前記複数のセパレータにそれぞれ係合させて位置決めするときに、前記一対のせき板の内壁面に前記レベル出し金物の側面を接触させることを特徴とする。
【００１３】
請求項９の発明に係るレベル出し金物は、略平行に立設された一対のせき板の間にコンクリートを打設して形成されるコンクリート基礎内に間隔をおいて配置されるレベル出し金物本体と、前記レベル出し金物本体に設けられ、前記一対のせき板に形成された被係合部に係合されることにより、上端部が前記一対のせき板の上部から突出するように位置決めされる係合部と、を有することを特徴とする。
【００１４】
請求項１記載の本発明によれば、コンクリート基礎内に間隔をおいて少なくとも２つ以上のレベル出し金物が配置されており、これらのレベル出し金物の上端部がコンクリート基礎の上面に突出している。さらに、少なくとも２つ以上のレベル出し金物の上端部を結んだ直線とコンクリート基礎の底面とが平行になるように構成されている。これにより、コンクリート基礎の上面が蛇行している場合（コンクリート基礎の上面が水平でない場合）であっても、少なくとも２つ以上のレベル出し金物の上端部を結んだ直線とコンクリート基礎の底面とが平行に保たれているので、レベル出し金物の上方に床や壁などのパネルを水平に載置することができる。上記のような基礎を工場で生産してもよいし、現場で上記のような基礎を施工してもよく、床や壁などのパネルを水平に載置する際の高さのレベル出しが容易で、施工性が良い。
【００１５】
請求項２記載の本発明によれば、現場で基礎を施工する際に、少なくとも２つ以上のレベル出し金物が位置決め手段によって位置決めされており、コンクリート基礎を形成した状態において、レベル出し金物がコンクリート基礎内に水平に配置されると共に、レベル出し金物がコンクリート基礎の上面から所定量突出するように構成されている。これにより、コンクリート基礎の上面が蛇行している場合でも、コンクリート基礎の上面から所定量突出しているレベル出し金物の上端部が水平に保たれる。このため、高さのレベル出しが容易で、レベル出し金物の上方に床や壁などのパネルを水平に載置する際の施工性が良好となる。
【００１６】
請求項３記載の本発明によれば、コンクリート基礎を形成するための一対のせき板が略平行に配置されており、一対のせき板に形成された被係合部に、レベル出し金物に形成された係合部が係合されることにより、レベル出し金物の上端部がせき板の上部から突出するように位置決めされる。これにより、簡単な構成により、少なくとも２つ以上のレベル出し金物の上端部を水平に保つことができ、施工性がより一層良好となる。
【００１７】
請求項４記載の本発明によれば、一対のせき板の側面にセパレータを貫通させることで一対のせき板の間にセパレータが架け渡され、レベル出し金物が一対のせき板の間に配置されると共に、レベル出し金物に形成された係合穴がセパレータに係合されることによりレベル出し金物が位置決めされる。これにより、簡単な構成により、少なくとも２つ以上のレベル出し金物の上端部を水平に保つことができ、施工性がさらに良好となる。
【００１８】
請求項５記載の本発明によれば、レベル出し金物の幅が、完成後のコンクリート基礎の幅と略同一に形成されており、現場での施工時に一対のせき板の内壁面にレベル出し金物の側面が接触される。これにより、レベル出し金物の位置ずれが抑制され、せき板によるレベル出し金物の位置決めがさらに容易となる。
【００１９】
請求項６記載の本発明によれば、一対のせき板を略平行に立設する。そして、レベル出し金物に形成された係合部を一対のせき板に形成された被係合部に係合させることにより、レベル出し金物の上端部を一対のせき板の上面から所定量突出させると共に、少なくとも２つ以上のレベル出し金物の上端部が水平となるように位置決めする。さらに、一対のせき板の間にコンクリートを打設することによりコンクリート基礎を形成する。これにより、簡単な基礎施工方法により、少なくとも２つ以上のレベル出し金物の上端部を水平に保つことができ、高さのレベル出しが容易である。このため、レベル出し金物の上方に床や壁などのパネルを水平に載置することができ、施工性が良好となる。
【００２０】
請求項７記載の本発明によれば、一対のせき板の側面に形成された複数の貫通孔に複数のセパレータをそれぞれ貫通させることにより、一対のせき板を略平行に支持する。さらに、レベル出し金物に形成された係合穴を複数のセパレータにそれぞれ係合させることにより、レベル出し金物の上端部を一対のせき板の上面から所定量突出させると共に、少なくとも２つ以上のレベル出し金物の上端部が水平となるように位置決めする。さらに、一対のせき板の間にコンクリートを打設することによりコンクリート基礎を形成する。これにより、簡単な基礎施工方法により、少なくとも２つ以上のレベル出し金物の上端部を水平に保つことができ、高さのレベル出しが容易である。このため、レベル出し金物の上方に床や壁などのパネルを水平に載置することができ、施工性が良好となる。
【００２１】
請求項８記載の本発明によれば、レベル出し金物に形成された係合穴を複数のセパレータにそれぞれ係合させて位置決めするときに、一対のせき板の内壁面にレベル出し金物の側面を接触させる。これにより、レベル出し金物の位置ずれが抑制され、せき板によるレベル出し金物の位置決めがさらに容易となる。
【００２２】
請求項９記載の本発明によれば、レベル出し金物には係合部が形成されており、係合部が一対のせき板に形成された被係合部に係合されることにより、レベル出し金物の上端部が一対のせき板の上部から所定量突出するように位置決めされる。これにより、コンクリート基礎の上面が蛇行している場合でも、複数のレベル出し金物の上端部を水平に保つことができる。従って、高さのレベル出しが容易で、施工性が良好となる。
【発明の効果】
【００２３】
以上説明したように、請求項１記載の本発明に係る基礎は、高さのレベル出しが容易で、床や壁などのパネルを載置する際の施工性が良好となるという優れた効果を有する。
【００２４】
請求項２記載の本発明に係る基礎は、レベル出し金物の高さのレベル出しが容易で、レベル出し金物の上方に床や壁などのパネルを水平に載置することができるという優れた効果を有する。
【００２５】
請求項３記載の本発明に係る基礎は、簡単な構成により、少なくとも２つ以上のレベル出し金物の上端部を水平に保つことができ、施工性がより一層良好となるという優れた効果を有する。
【００２６】
請求項４記載の本発明に係る基礎は、簡単な構成により、少なくとも２つ以上のレベル出し金物の上端部を水平に保つことができ、施工性がさらに良好となるという優れた効果を有する。
【００２７】
請求項５記載の本発明に係る基礎は、レベル出し金物の位置ずれが抑制され、レベル出し金物の位置決めがさらに容易となるという優れた効果を有する。
【００２８】
請求項６記載の本発明に係る基礎施工方法は、簡単な方法により、少なくとも２つ以上のレベル出し金物の上端部が水平となるように位置決めすることができ、施工性が良いという優れた効果を有する。
【００２９】
請求項７記載の本発明に係る基礎施工方法は、高さのレベル出しが容易で、床や壁などのパネルを載置する際の施工性がさらに良好となるという優れた効果を有する。
【００３０】
請求項８記載の本発明に係る基礎施工方法は、レベル出し金物の位置ずれが抑制され、レベル出し金物の位置決めがさらに容易となるという優れた効果を有する。
【００３１】
請求項９記載の本発明に係るレベル出し金物は、高さのレベル出しが容易で、施工性が良好となるという優れた効果を有する。
【発明を実施するための最良の形態】
【００３２】
〔第１実施形態〕
以下、図１〜図６を用いて、本発明に係る基礎の第１実施形態について説明する。
【００３３】
図１には、建物の基礎１０が示されている。この図に示されるように、基礎１０は、コンクリートを打設して形成されたコンクリート基礎１２により構成されている。コンクリート基礎１２は、長手方向と直交する方向の断面が略矩形状で、下部の幅が上部の幅より大きくなるように略逆Ｔ字状に形成されている。コンクリート基礎１２内には、所定の間隔をおいて複数のレベル出し金物１４が配置されている。複数のレベル出し金物１４は、コンクリート基礎１２内の長手方向と直交するする方向に沿って配置されており、複数のレベル出し金物１４は長手方向に所定に間隔をおいてほぼ平行に配置されている。
【００３４】
また、複数のレベル出し金物１４は、コンクリート基礎１２内に水平に配置されており、レベル出し金物１４の上端部１４Ａがコンクリート基礎１２の上面１２Ａから所定量突出している。その際、複数のレベル出し金物１４の上端部１４Ａを結んだ直線Ｌ１とコンクリート基礎１２の底面を結んだ直線Ｌ２とが平行になるように構成されている。これによって、レベル出し金物１４の上端部１４Ａの上方にプレート３０及び壁パネル３８（図６参照）を設置する際にこれらを水平に保つことができる。
【００３５】
次に、複数のレベル出し金物１４をコンクリート基礎１２内に水平に配置するための位置決め手段について説明する。
【００３６】
図２に示されるように、コンクリート基礎１２を形成するための一対のせき板２０が略平行に配置されており、一対のせき板２０の側面には、長手方向と直交する方向に対向するように２つの貫通孔２２が設けられている。２つの貫通孔２２には、被係合部としての棒状のセパレータ２４が貫通されて一対のせき板２０の間に架け渡されるようになっている。２つの貫通孔２２は、一対のせき板２０の側面の対向する位置に、所定の間隔をおいて複数形成されている。セパレータ２４は、円柱状の部材からなり、その周面には雄ネジが形成されている。そして、一対のせき板２０の間にレベル出し金物１４が配置された状態で、図示しないナットが一対のせき板２０の両側から螺合されることにより、一対のせき板２０が略平行に支持されるようになっている。この施工方法については後述する。
【００３７】
レベル出し金物１４は、せき板幅方向（せき板上下方向と直交する方向）に沿った断面が略「コ」字状に形成されており、レベル出し金物１４の幅方向両側の側面１４Ｂの上部には、両側の端縁側に下り勾配となるテーパー部１４Ｃが形成されている。レベル出し金物１４には、幅方向両側の側面１４Ｂの対向する位置に、せき板上下方向に沿って係合穴としてのスリット１４Ｄが形成されている。スリット１４Ｄは下部側が開口しており、スリット１４Ｄの奥側端面（上部側端面）がセパレータ２４に係合可能に構成されている。
【００３８】
一対のせき板２０の内壁面の間隔は、レベル出し金物１４の側面１４Ｂの外側の間隔より若干大きく設定されており、一対のせき板２０の間にレベル出し金物１４が挿入される。そして、図３及び図４に示されるように、レベル出し金物１４のスリット１４Ｄの奥側端面（上部側端面）がセパレータ２４に係合されたときに、レベル出し金物１４の上端部１４Ａが一対のせき板２０の上面（上部）２０Ａから所定量（本実施形態では数ミリ）突出するように位置決めされるように構成されている。そして、図３に示されるように、一対のせき板２０に架け渡された複数のセパレータ２４に複数のレベル出し金物１４のスリット１４Ｄが係合されることで、複数のレベル出し金物１４が一対のせき板２０の間に水平に配置される。さらに、セパレータ２４の周面に螺合されるナット（図示省略）を締め付けることにより、一対のせき板２０の内壁面にレベル出し金物１４の側面１４Ｂが接触し、一対のせき板２０の間隔が調整されるようになっている。そして、一対のせき板２０の間にコンクリートを打設することにより、コンクリート基礎１２が形成される。その際、レベル出し金物１４の幅は、完成後のコンクリート基礎１２の幅と略同一に形成されている。
【００３９】
図１に示されるように、複数のレベル出し金物１４を一対のせき板２０の長手方向に所定の間隔をおいて配置することにより、複数のレベル出し金物１４の上端部１４Ａを結んだ直線Ｌ１とコンクリート基礎１２の底面を結んだ直線Ｌ２とが平行になる。
【００４０】
次に、レベル出し金物１４を用いた基礎施工方法、及び本実施形態の作用並びに効果について説明する。
【００４１】
図３に示されるように、まず、基礎１０を形成するための一対のせき板２０の内側に所定の間隔で複数のレベル出し金物１４を配置するための作業を行う。具体的には、図２に示されるように、一対のせき板２０の側面に形成された貫通孔２２にセパレータ２４をそれぞれ貫通させて、一対のせき板２０に複数のセパレータ２４を架け渡す。また、セパレータ２４に一対のせき板２０の両側から図示しないナットを螺合させる。さらに、図３に示されるように、レベル出し金物１４を一対のせき板２０の間に挿入し、レベル出し金物１４に形成されたスリット１４Ｄの奥側端面（上部側端面）をセパレータ２４に係合させる（レベル出し金物１４のスリット１４Ｄをセパレータ２４に引っ掛ける）。これにより、図４に示されるように、レベル出し金物１４の上端部１４Ａが一対のせき板２０の上面２０Ａから所定量（本実施形態では数ミリ）突出するように位置決めされる。
【００４２】
同様に、図３に示されるように、複数のレベル出し金物１４のスリット１４Ｄをセパレータ２４に係合させることにより、複数のレベル出し金物１４の上端部１４Ａを一対のせき板２０の上面２０Ａから所定量（本実施形態では数ミリ）突出させる。そして、一対のせき板２０の両側からセパレータ２４に螺合されたナット（図示省略）を締め付けることにより、一対のせき板２０が略平行に支持される。これによって、複数のレベル出し金物１４が一対のせき板２０の間に水平に配置されると共に、複数のレベル出し金物１４の上端部１４Ａを結んだ線が水平になるように位置決めされる。
【００４３】
次いで、図５に示されるように、一対のせき板２０の間にコンクリートを打設し、一対のせき板２０の上面２０Ａ付近でコンクリートを均して養生硬化させることにより、コンクリート基礎１２を形成する。その際、コンクリート基礎１２の所定の位置に複数のアンカーボルト２８を埋設する。その後、セパレータ２４に螺合されたナット（図示省略）を取り外して一対のせき板２０を外すと共に、コンクリート基礎１２の側面から突出しているセパレータ２４を切断することにより、図１に示されるような基礎１０が完成する。そして、複数のレベル出し金物１４の上端部１４Ａの上に長尺状のプレート３０を配置する。プレート３０には、アンカーボルト２８が貫通する複数の貫通孔３０Ａが形成されている。
【００４４】
その際、図６に示されるように、複数のレベル出し金物１４がコンクリート基礎１２内に水平に配置されると共に、複数のレベル出し金物１４の上端部１４Ａを結んだ線が水平になるように位置決めされているので、複数のレベル出し金物１４の上端部１４Ａの上に長尺状のプレート３０を配置することにより、プレート３０の面が水平に保たれる。すなわち、コンクリート基礎１２の上面１２Ａが蛇行して上面１２Ａが水平でない場合であっても、複数のレベル出し金物１４の上端部１４Ａの先端は一定の高さレベルに確保される。
【００４５】
次いで、長尺状のプレート３０の上に、長尺状の下枠ランナー３２を配設すると共に、基礎上下方向に沿って複数のスタッド３４を配設し、下枠ランナー３２とスタッド３４等で囲まれた部分に壁パネル外板３６を取り付ける。これらの下枠ランナー３２とスタッド３４と壁パネル外板３６等により壁パネル３８が構成されている。その際、複数のレベル出し金物１４の上端部１４Ａの先端は一定の高さレベルに確保されているので、プレート３０上に載置される壁パネル３８の水平に取り付けることができる。
【００４６】
従って、本実施形態の基礎１０及び基礎施工方法では、レベル出し金物１４の高さのレベル出しが容易であり、レベル出し金物１４の上方に壁パネル３８を水平に載置する際の施工性が良好となる。
【００４７】
以下、図７を用いて、本発明の基礎に用いられる位置決め手段の第２実施形態について説明する。なお、前述した第１実施形態と同一構成部分については、同一番号を付してその説明を省略する。
【００４８】
図７に示されるように、一対のせき板２０の内側面には、レベル出し金物１４に形成されたスリット１４Ｄの奥側端面（上部側端面）が係合される被係合部としての突起４０が対向して形成されている。突起４０は、円柱状であり、一対のせき板２０の内側面に対して直交する方向に立設されている。そして、スリット１４Ｄの奥側端面を一対のせき板２０に形成された突起４０に係合させることにより、レベル出し金物１４の上端部１４Ａが一対のせき板２０の上面２０Ａから所定量（本実施形態では数ミリ）突出するように位置決めされる。一対のせき板２０には、突起４０が長手方向に所定の間隔をおいて複数配設されており、それぞれレベル出し金物１４のスリット１４Ｄが係合されるようになっている。なお、図示を省略するが、一対のせき板２０には、セパレータが貫通される貫通孔が別に設けられており（図２参照）、セパレータにナットが螺合されることにより、一対のせき板２０が略平行に支持されるように構成されている。
【００４９】
本実施形態では、一対のせき板２０の間にレベル出し金物１４を挿入し、スリット１４Ｄの奥側端面を一対のせき板２０の突起４０に係合させることにより、レベル出し金物１４の上端部１４Ａが一対のせき板２０の上面２０Ａから所定量（本実施形態では数ミリ）突出する。そして、複数のレベル出し金物１４のスリット１４Ｄを一対のせき板２０の突起４０にそれぞれ係合させることで、複数のレベル出し金物１４が一対のせき板２０の間に水平に配置されると共に、複数のレベル出し金物１４の上端部１４Ａを結んだ線が水平になるように位置決めされる。このため、複数のレベル出し金物１４の上端部１４Ａの先端は一定の高さレベルに保持され、複数のレベル出し金物１４の上端部１４Ａに載置されるプレート３０、及びプレート３０上の壁パネル３８（図６参照）を水平に配設することができる。
【００５０】
以下、図８を用いて、本発明の基礎に用いられる位置決め手段の第３実施形態について説明する。なお、前述した第１実施形態及び第２実施形態と同一構成部分については、同一番号を付してその説明を省略する。
【００５１】
図８に示されるように、レベル出し金物５０の幅方向両側の側面１４Ｂの外側面には、係合部としての突起５２が突出している。突起５２は、円柱状であり、レベル出し金物５０の側面１４Ｂに対して直交する方向に立設されている。一対のせき板２０の内側面の対向する位置には、レベル出し金物５０の突起５２が係合される被係合部として溝部５４が形成されている。溝部５４は、せき板上下方向に沿って形成されており、溝部５４の上端部５４Ａがせき板２０の上面２０Ａで開口すると共に、溝部５４の下端部５４Ｂにレベル出し金物５０の突起５２が係合されるようになっている。そして、レベル出し金物５０の突起５２を一対のせき板２０に形成された溝部５４の下端部５４Ｂに係合させることにより、レベル出し金物５０の上端部１４Ａが一対のせき板２０の上面２０Ａから所定量（本実施形態では数ミリ）突出するように位置決めされる。一対のせき板２０には、複数の溝部５４が長手方向に所定の間隔をおいて配設されており、複数のレベル出し金物５０の突起５２がそれぞれ係合されるようになっている。なお、図示を省略するが、一対のせき板２０には、セパレータが貫通される貫通孔が別に設けられており（図２参照）、セパレータにナットが螺合されることにより、一対のせき板２０が略平行に支持されるように構成されている。
【００５２】
本実施形態では、一対のせき板２０の間にレベル出し金物５０を配置して、一対のせき板２０の溝部５４の上端部５４Ａにレベル出し金物５０の突起５２を挿入し、レベル出し金物５０をせき板２０の下方側にスライドさせる。そして、レベル出し金物５０の突起５２を溝部５４の下端部５４Ｂに係合させることにより、レベル出し金物５０の上端部１４Ａが一対のせき板２０の上面２０Ａから所定量（本実施形態では数ミリ）突出する。さらに、複数のレベル出し金物１４の突起５２を一対のせき板２０に設けられた溝部５４の下端部５４Ｂに係合させることで、複数のレベル出し金物５０が一対のせき板２０の間に水平に配置されると共に、複数のレベル出し金物５０の上端部１４Ａを結んだ線が水平になるように位置決めされる。このため、複数のレベル出し金物５０の上端部１４Ａの先端は一定の高さレベルに保持され、複数のレベル出し金物５０の上端部１４Ａに載置されるプレート３０、及びプレート３０上の壁パネル３８（図６参照）を水平に配設することができる。
【００５３】
なお、前述した実施形態では、複数のレベル出し金物１４、５０の上端部１４Ａの上方にプレート３０を載置し、さらにプレート３０上に下枠ランナー３２等で構成される壁パネル３８を配設したが、複数のレベル出し金物１４、５０の上端部１４Ａの上方に配設される部材はこれらに限定されず、他の構成でもよい。例えば、複数のレベル出し金物１４、５０の上端部１４Ａの上方に直接下枠ランナー３２を配設したり、床パネルなどを配設したりしてもよい。また、本発明はスチールハウス用の壁パネル３８に適用したが、これに限定されず、本発明を例えばユニット住宅に適用することも可能である。
【００５４】
また、複数のレベル出し金物１４、５０を一対のせき板２０の所定の位置に位置決めする構成は、前述した実施形態に限定されず、複数のレベル出し金物１４、５０の上端部１４Ａが水平に保たれていれば、他の構成でもよい。
【図面の簡単な説明】
【００５５】
【図１】第１実施形態に係るレベル出し金物を用いた基礎を示す斜視図である。
【図２】第１実施形態に係るレベル出し金物を一対のせき板の所定位置に位置決めする工程を示す斜視図である。
【図３】複数のレベル出し金物が一対のせき板の所定位置に間隔をおいて配置された状態を示す斜視図である。
【図４】レベル出し金物の上端部が一対のせき板の上面から所定量突出した状態を示す側面図である。
【図５】一対のせき板の間にコンクリートを打設してコンクリート基礎を形成する工程を示す斜視図である。
【図６】複数のレベル出し金物の上端部にプレートを載置して壁パネル等を配設する工程を示す側面図である。
【図７】第２実施形態に係るレベル出し金物を一対のせき板の所定位置に位置決めする工程を示す斜視図である。
【図８】第３実施形態に係るレベル出し金物を一対のせき板の所定位置に位置決めする工程を示す斜視図である。
【符号の説明】
【００５６】
１０   基礎
１２   コンクリート基礎
１２Ａ 上面
１４   レベル出し金物
１４Ａ 上端部
１４Ｂ 側面
１４Ｄ スリット（係合穴）
２０   せき板
２０Ａ 上面（上部）
２２   貫通孔
２４   セパレータ
４０   突起（被係合部）
５０   レベル出し金物
５２   突起（係合部）
５４   溝部（被係合部）
Ｌ１   レベル出し金物の上端部を結んだ直線
【図１】
2009275472.tif 000003
【図２】
2009275472.tif 000004
【図３】
2009275472.tif 000005
【図４】
2009275472.tif 000006
【図５】
2009275472.tif 000007
【図６】
2009275472.tif 000008
【図７】
2009275472.tif 000009
【図８】
2009275472.tif 000010